【手続補正書】
【提出日】平成29年12月5日(2017.12.5)
【手続補正１】
【補正対象書類名】特許請求の範囲
【補正対象項目名】全文
【補正方法】変更
【補正の内容】
【特許請求の範囲】
【請求項１】
下記一般式（１−１）で表される鎖状カーボネート、又は、下記一般式（１−２）で表されるエステルが、
アルカリ金属、アルカリ土類金属又はアルミニウムをカチオンとし、下記一般式（２）で表される化学構造をアニオンとする金属塩に対し、
モル比１〜３で含まれること特徴とする電解液。
Ｒ１０ＯＣＯＯＲ１１                              一般式（１−１）
Ｒ１２ＣＯＯＲ１３                                一般式（１−２）
（Ｒ１０、Ｒ１１、Ｒ１２、Ｒ１３は、それぞれ独立に、鎖状アルキルであるＣｎＨａＦｂＣｌｃＢｒｄＩｅ、又は、環状アルキルを化学構造に含むＣｍＨｆＦｇＣｌｈＢｒｉＩｊのいずれかから選択される。ｎは１以上の整数、ｍは３以上の整数、ａ、ｂ、ｃ、ｄ、ｅ、ｆ、ｇ、ｈ、ｉ、ｊはそれぞれ独立に０以上の整数であり、２ｎ＋１＝ａ＋ｂ＋ｃ＋ｄ＋ｅ、２ｍ−１＝ｆ＋ｇ＋ｈ＋ｉ＋ｊを満たす。
ただし、Ｒ１０若しくはＲ１１はｂ≧１若しくはｇ≧１、Ｒ１２若しくはＲ１３はｂ≧１若しくはｇ≧１を満たす。）
（Ｒ２１Ｘ２１）（Ｒ２２ＳＯ２）Ｎ                      一般式（２）
（Ｒ２１は、水素、ハロゲン、置換基で置換されていても良いアルキル基、置換基で置換されていても良いシクロアルキル基、置換基で置換されていても良い不飽和アルキル基、置換基で置換されていても良い不飽和シクロアルキル基、置換基で置換されていても良い芳香族基、置換基で置換されていても良い複素環基、置換基で置換されていても良いアルコキシ基、置換基で置換されていても良い不飽和アルコキシ基、置換基で置換されていても良いチオアルコキシ基、置換基で置換されていても良い不飽和チオアルコキシ基、ＣＮ、ＳＣＮ、ＯＣＮから選択される。
Ｒ２２は、水素、ハロゲン、置換基で置換されていても良いアルキル基、置換基で置換されていても良いシクロアルキル基、置換基で置換されていても良い不飽和アルキル基、置換基で置換されていても良い不飽和シクロアルキル基、置換基で置換されていても良い芳香族基、置換基で置換されていても良い複素環基、置換基で置換されていても良いアルコキシ基、置換基で置換されていても良い不飽和アルコキシ基、置換基で置換されていても良いチオアルコキシ基、置換基で置換されていても良い不飽和チオアルコキシ基、ＣＮ、ＳＣＮ、ＯＣＮから選択される。
また、Ｒ２１とＲ２２は、互いに結合して環を形成しても良い。
Ｘ２１は、ＳＯ２、Ｃ＝Ｏ、Ｃ＝Ｓ、ＲａＰ＝Ｏ、ＲｂＰ＝Ｓ、Ｓ＝Ｏ、Ｓｉ＝Ｏから選択される。
Ｒａ、Ｒｂは、それぞれ独立に、水素、ハロゲン、置換基で置換されていても良いアルキル基、置換基で置換されていても良いシクロアルキル基、置換基で置換されていても良い不飽和アルキル基、置換基で置換されていても良い不飽和シクロアルキル基、置換基で置換されていても良い芳香族基、置換基で置換されていても良い複素環基、置換基で置換されていても良いアルコキシ基、置換基で置換されていても良い不飽和アルコキシ基、置換基で置換されていても良いチオアルコキシ基、置換基で置換されていても良い不飽和チオアルコキシ基、ＯＨ、ＳＨ、ＣＮ、ＳＣＮ、ＯＣＮから選択される。
また、Ｒａ、Ｒｂは、Ｒ２１又はＲ２２と結合して環を形成しても良い。）
【請求項２】
前記一般式（１−１）で表される鎖状カーボネート、又は、前記一般式（１−２）で表されるエステルが、電解液に含まれる全溶媒に対して、５０体積％以上で含まれる請求項１に記載の電解液。
【請求項３】
前記Ｒ１０、Ｒ１１、Ｒ１２、Ｒ１３が以下のとおりである請求項１又は２に記載の電解液。
（Ｒ１０、Ｒ１１、Ｒ１２、Ｒ１３は、それぞれ独立に、鎖状アルキルであるＣｎＨａＦｂ、又は、環状アルキルを化学構造に含むＣｍＨｆＦｇのいずれかから選択される。ｎは１以上の整数、ｍは３以上の整数、ａ、ｂ、ｆ、ｇはそれぞれ独立に０以上の整数であり、２ｎ＋１＝ａ＋ｂ、２ｍ−１＝ｆ＋ｇを満たす。
ただし、Ｒ１０若しくはＲ１１はｂ≧１若しくはｇ≧１、Ｒ１２若しくはＲ１３はｂ≧１若しくはｇ≧１を満たす。）
【請求項４】
前記一般式（１−１）又は一般式（１−２）に関するｎが１以上６以下の整数であり、ｍが３以上８以下の整数である請求項１〜３のいずれかに記載の電解液。
【請求項５】
前記金属塩のアニオンの化学構造が下記一般式（２−１）で表される請求項１〜４のいずれかに記載の電解液。
（Ｒ２３Ｘ２２）（Ｒ２４ＳＯ２）Ｎ                        一般式（２−１）
（Ｒ２３、Ｒ２４は、それぞれ独立に、ＣｎＨａＦｂＣｌｃＢｒｄＩｅ（ＣＮ）ｆ（ＳＣＮ）ｇ（ＯＣＮ）ｈである。
ｎ、ａ、ｂ、ｃ、ｄ、ｅ、ｆ、ｇ、ｈはそれぞれ独立に０以上の整数であり、２ｎ＋１＝ａ＋ｂ＋ｃ＋ｄ＋ｅ＋ｆ＋ｇ＋ｈを満たす。
また、Ｒ２３とＲ２４は、互いに結合して環を形成しても良く、その場合は、２ｎ＝ａ＋ｂ＋ｃ＋ｄ＋ｅ＋ｆ＋ｇ＋ｈを満たす。
Ｘ２２は、ＳＯ２、Ｃ＝Ｏ、Ｃ＝Ｓ、ＲｃＰ＝Ｏ、ＲｄＰ＝Ｓ、Ｓ＝Ｏ、Ｓｉ＝Ｏから選択される。
Ｒｃ、Ｒｄは、それぞれ独立に、水素、ハロゲン、置換基で置換されていても良いアルキル基、置換基で置換されていても良いシクロアルキル基、置換基で置換されていても良い不飽和アルキル基、置換基で置換されていても良い不飽和シクロアルキル基、置換基で置換されていても良い芳香族基、置換基で置換されていても良い複素環基、置換基で置換されていても良いアルコキシ基、置換基で置換されていても良い不飽和アルコキシ基、置換基で置換されていても良いチオアルコキシ基、置換基で置換されていても良い不飽和チオアルコキシ基、ＯＨ、ＳＨ、ＣＮ、ＳＣＮ、ＯＣＮから選択される。
また、Ｒｃ、Ｒｄは、Ｒ２３又はＲ２４と結合して環を形成しても良い。）
【請求項６】
前記金属塩のアニオンの化学構造が下記一般式（２−２）で表される請求項１〜５のいずれかに記載の電解液。
（Ｒ２５ＳＯ２）（Ｒ２６ＳＯ２）Ｎ                  一般式（２−２）
（Ｒ２５、Ｒ２６は、それぞれ独立に、ＣｎＨａＦｂＣｌｃＢｒｄＩｅである。
ｎ、ａ、ｂ、ｃ、ｄ、ｅはそれぞれ独立に０以上の整数であり、２ｎ＋１＝ａ＋ｂ＋ｃ＋ｄ＋ｅを満たす。
また、Ｒ２５とＲ２６は、互いに結合して環を形成しても良く、その場合は、２ｎ＝ａ＋ｂ＋ｃ＋ｄ＋ｅを満たす。）
【請求項７】
前記一般式（２−１）又は一般式（２−２）に関するｎが０〜６の整数であり、上記一般式（２−１）のＲ２３とＲ２４又は一般式（２−２）のＲ２５とＲ２６が結合して環を形成している場合にはｎが１〜８の整数である請求項５又は６に記載の電解液。
【請求項８】
前記モル比が１．５〜２．５の範囲内である請求項１〜７のいずれかに記載の電解液。
【請求項９】
請求項１〜８のいずれかに記載の電解液を具備する蓄電装置。
【請求項１０】
前記蓄電装置が二次電池である請求項９に記載の蓄電装置。
【請求項１１】
反応電位がＬｉ基準で４．５Ｖ以上である正極活物質を具備する請求項１０に記載の蓄電装置。
【請求項１２】
正極活物質としてスピネル構造の金属酸化物を具備する請求項１０又は１１に記載の蓄電装置。
【請求項１３】
アルミニウム製の正極集電体を具備する請求項９〜１２のいずれかに記載の蓄電装置。
【請求項１４】
前記蓄電装置がキャパシタである請求項９に記載の蓄電装置。